(57)【要約】【課題】無線通信端末毎に、デバイスの動作に応じたノイズによる受信感度の低下を防ぐことができ、無線通信の切断を防ぐことができる。【解決手段】ハンディターミナル１は、ＷＡＮ通信部１６と、赤外線通信部２４等のデバイスと、ＷＡＮ通信部１６による無線通信中に、前記デバイスを動作させ、制御部１６２に前記無線通信の受信感度を周波数毎に測定させ、当該受信感度のノイズの周波数を前記デバイスの動作状態に対応してＥＥＰＲＯＭ２０に記憶するＣＰＵ１１と、を備える。ＣＰＵ１１は、ＷＡＮ通信部１６による無線通信を行う場合に、デバイスの動作状態を取得し、前記取得したデバイスの動作状態に応じたノイズの周波数をＥＥＰＲＯＭ２０から読み出し、前記無線通信中の周波数と前記読み出したノイズの周波数とが重なるか否かを判別し、重なる場合に、前記デバイスの動作状態を変更する。【選択図】図２
2012074789.tif 000002
【特許請求の範囲】
【請求項１】
所定の無線通信を行う無線通信部と、
前記所定の無線通信以外の機能を有するデバイスと、
情報を記憶する記憶部と、
前記無線通信部による無線通信の受信感度を周波数毎に測定する測定部と、
前記無線通信部による無線通信中に、前記デバイスを動作させ、前記測定部に前記無線通信の受信感度を周波数毎に測定させ、当該受信感度のノイズの周波数を前記デバイスの動作状態に対応付けて前記記憶部に記憶する測定制御部と、
前記無線通信部による無線通信を行う場合に、前記デバイスの動作状態を取得し、前記取得したデバイスの動作状態に応じたノイズの周波数を前記記憶部から読み出し、前記無線通信中の周波数と前記読み出したノイズの周波数とが重なるか否かを判別し、当該無線通信中の周波数と当該ノイズの周波数とが重なる場合に、前記デバイスの動作状態を変更する動作変更制御部と、を備える無線通信端末。
【請求項２】
前記動作変更制御部は、前記測定部に前記無線通信部による無線通信の受信感度を測定させ、当該測定した受信感度が所定値以下である場合に、前記デバイスの動作状態を取得し、前記取得したデバイスの動作状態に応じたノイズの周波数を前記記憶部から読み出し、前記無線通信中の周波数と前記読み出したノイズの周波数とが重なるか否かを判別する請求項１に記載の無線通信端末。
【請求項３】
操作入力を受け付ける操作部を備え、
前記動作変更制御部は、前記無線通信中の周波数と前記デバイスの動作状態に応じたノイズの周波数とが重なる場合に、前記操作部により当該デバイスの動作状態を変更するか否かの操作入力を受け付け、当該デバイスの動作状態を変更する操作入力があると、当該デバイスの動作状態を変更する請求項１又は２に記載の無線通信端末。
【請求項４】
前記動作変更制御部は、前記デバイスの動作状態を変更する場合に、前記取得したデバイスの動作状態に応じたノイズの周波数を参照し、前記無線通信中の周波数とノイズの周波数とが重ならず前記無線通信中の周波数にノイズの影響が無い動作状態を選択し、前記デバイスの動作状態を当該選択した動作状態に変更する請求項１から３のいずれか一項に記載の無線通信端末。
【請求項５】
コンピュータを、
所定の無線通信を行う無線通信部、
前記所定の無線通信以外の機能を有するデバイス、
情報を記憶する記憶部、
前記無線通信部による無線通信の受信感度を周波数毎に測定する測定部、
前記無線通信部による無線通信中に、前記デバイスを動作させ、前記測定部に前記無線通信の受信感度を周波数毎に測定させ、当該受信感度のノイズの周波数を前記デバイスの動作状態に対応付けて前記記憶部に記憶する測定制御部、
前記無線通信部による無線通信を行う場合に、前記デバイスの動作状態を取得し、前記取得したデバイスの動作状態に応じたノイズの周波数を前記記憶部から読み出し、前記無線通信中の周波数と前記読み出したノイズの周波数とが重なるか否かを判別し、当該無線通信中の周波数と当該ノイズの周波数とが重なる場合に、前記デバイスの動作状態を変更する動作変更制御部、
として実現させるためのプログラム。
【発明の詳細な説明】
【技術分野】
【０００１】
本発明は、無線通信を行う無線通信端末及びそのプログラムに関する。
【背景技術】
【０００２】
従来、無線通信機能を有するハンディターミナル、ＰＤＡ（Personal Digital Assistant）等の携帯機器としての無線通信端末が知られている。また、携帯電話通信方式の無線通信機能を有する無線通信端末は、受信感度としてのＲＳＳＩ（Received Signal Strength Indication：受信信号強度あるいは受信電界強度）を測定し、測定したＲＳＳＩに相関する０〜４本等の段階的なアンテナ本数の表示を行うアンテナ表示機能を有する。アンテナ表示におけるアンテナ本数が多いほどＲＳＳＩも大きい。
【０００３】
図２２に、従来の無線通信端末の電波環境に対するＲＳＳＩ及びアンテナ本数を示す。図２２に示すように、電波環境が良い地域から悪い地域へ無線通信端末を持っていくと、ＲＳＳＩが低下するとともに、アンテナ表示のアンテナ本数も減っていく。そして、アンテナ本数が０本になると、その後、無線通信端末の無線通信が切断され、圏外表示がなされる。このように、電波環境が悪くなることが、ＲＳＳＩの低下の原因となっていた。
【０００４】
また、上記無線通信端末は、携帯電話通信方式の無線通信部を内蔵するとともに、その他の様々なデバイスを内蔵する。このデバイスの動作によっては、当該デバイスにより発生するノイズにより、携帯電話通信のＲＳＳＩを下げてしまうおそれがある。このため、携帯電話通信方式の無線通信の受信電界レベルが低い場合に、ＬＣＤ（Liquid Crystal Display）表示部に表示するデータ量を低減して、当該ＬＣＤ表示部の自己発生ノイズを低減し、通信品質を維持する無線通信端末が知られている（例えば、特許文献１参照）。
【先行技術文献】
【特許文献】
【０００５】
【特許文献１】特開２００８−２９４５３６号公報
【発明の概要】
【発明が解決しようとする課題】
【０００６】
しかし、上記従来の無線通信端末において、ノイズの発生源のデバイスは、ＬＣＤ表示部に限定されるものではない。例えば、ノイズの発生源のデバイスとして、ＬＣＤ表示部以外にも、撮像部等のデバイスや、ＷＬＡＮ（Wireless Local Area Network）通信部等、他の無線通信のデバイスがある。このデバイスのノイズの周波数は、デバイスの種類及び動作状態に応じて異なる。加えて、同じ種類のデバイスを搭載していても、製造番号が異なる無線通信端末毎に、ノイズの周波数が異なるおそれもあった。
【０００７】
本発明の課題は、無線通信端末毎に、デバイスの動作に応じたノイズによる受信感度の低下を防ぐことである。
【課題を解決するための手段】
【０００８】
上記課題を解決するために、請求項１に記載の発明の無線通信端末は、
所定の無線通信を行う無線通信部と、
前記所定の無線通信以外の機能を有するデバイスと、
情報を記憶する記憶部と、
前記無線通信部による無線通信の受信感度を周波数毎に測定する測定部と、
前記無線通信部による無線通信中に、前記デバイスを動作させ、前記測定部に前記無線通信の受信感度を周波数毎に測定させ、当該受信感度のノイズの周波数を前記デバイスの動作状態に対応付けて前記記憶部に記憶する測定制御部と、
前記無線通信部による無線通信を行う場合に、前記デバイスの動作状態を取得し、前記取得したデバイスの動作状態に応じたノイズの周波数を前記記憶部から読み出し、前記無線通信中の周波数と前記読み出したノイズの周波数とが重なるか否かを判別し、当該無線通信中の周波数と当該ノイズの周波数とが重なる場合に、前記デバイスの動作状態を変更する動作変更制御部と、を備える。
【０００９】
請求項２に記載の発明は、請求項１に記載の無線通信端末において、
前記動作変更制御部は、前記測定部に前記無線通信部による無線通信の受信感度を測定させ、当該測定した受信感度が所定値以下である場合に、前記デバイスの動作状態を取得し、前記取得したデバイスの動作状態に応じたノイズの周波数を前記記憶部から読み出し、前記無線通信中の周波数と前記読み出したノイズの周波数とが重なるか否かを判別する。
【００１０】
請求項３に記載の発明は、請求項１又は２に記載の無線通信端末において、
操作入力を受け付ける操作部を備え、
前記動作変更制御部は、前記無線通信中の周波数と前記デバイスの動作状態に応じたノイズの周波数とが重なる場合に、前記操作部により当該デバイスの動作状態を変更するか否かの操作入力を受け付け、当該デバイスの動作状態を変更する操作入力があると、当該デバイスの動作状態を変更する。
【００１１】
請求項４に記載の発明は、請求項１から３のいずれか一項に記載の無線通信端末において、
前記動作変更制御部は、前記デバイスの動作状態を変更する場合に、前記取得したデバイスの動作状態に応じたノイズの周波数を参照し、前記無線通信中の周波数とノイズの周波数とが重ならず前記無線通信中の周波数にノイズの影響が無い動作状態を選択し、前記デバイスの動作状態を当該選択した動作状態に変更する。
【００１２】
請求項５に記載の発明のプログラムは、
コンピュータを、
所定の無線通信を行う無線通信部、
前記所定の無線通信以外の機能を有するデバイス、
情報を記憶する記憶部、
前記無線通信部による無線通信の受信感度を周波数毎に測定する測定部、
前記無線通信部による無線通信中に、前記デバイスを動作させ、前記測定部に前記無線通信の受信感度を周波数毎に測定させ、当該受信感度のノイズの周波数を前記デバイスの動作状態に対応付けて前記記憶部に記憶する測定制御部、
前記無線通信部による無線通信を行う場合に、前記デバイスの動作状態を取得し、前記取得したデバイスの動作状態に応じたノイズの周波数を前記記憶部から読み出し、前記無線通信中の周波数と前記読み出したノイズの周波数とが重なるか否かを判別し、当該無線通信中の周波数と当該ノイズの周波数とが重なる場合に、前記デバイスの動作状態を変更する動作変更制御部、
として実現させる。
【発明の効果】
【００１３】
本発明によれば、無線通信端末毎に、デバイスの動作に応じたノイズによる受信感度の低下を防ぐことができ、無線通信の切断を防ぐことができる。
【図面の簡単な説明】
【００１４】
【図１】本発明の実施の形態のハンディターミナルの正面図である。
【図２】ハンディターミナルの機能構成を示すブロック図である。
【図３】ＷＡＮ（Wide Area Network）通信部の機能構成を示すブロック図である。
【図４】ハンディターミナルのＷＡＮ通信の規格、Ｕｐｌｉｎｋ、Ｄｏｗｎｌｉｎｋ、チャネル数を示す図である。
【図５】周波数帯情報テーブルの構成を示す図である。
【図６】ノイズ情報テーブルの構成を示す図である。
【図７】デバイスノイズ測定処理を示すフローチャートである。
【図８】ＷＡＮ通信中で表示部がＱＶＧＡ（Quarter Video Graphics Array）表示中の状態における周波数に対するＲＳＳＩを示す図である。
【図９】ＷＡＮ通信中で表示部がＶＧＡ表示中でバックライトを点灯した状態における周波数に対するＲＳＳＩを示す図である。
【図１０】ＷＡＮ通信中で表示部がＶＧＡ表示中でバックライトを消灯した状態における周波数に対するＲＳＳＩを示す図である。
【図１１】ＷＡＮ通信中で撮像部が動作中の状態における周波数に対するＲＳＳＩを示す図である。
【図１２】周波数に対する高調波のノイズ成分を示す図である。
【図１３】ＷＡＮ通信の発信から通話開始までの処理手順を示す図である。
【図１４】ＷＡＮ通信処理を示すフローチャートである。
【図１５】（ａ）は、ＷＣＤＭＡ  ＢａｎｄVIの通信周波数を示す図である。（ｂ）は、撮像部動作時の周波数に対するノイズを示す図である。（ｃ）は、表示部のＶＧＡ表示中の周波数に対するノイズを示す図である。（ｄ）は、ＷＣＤＭＡ  ＢａｎｄVIの通信周波数に重なるノイズを示す図である。
【図１６】ＷＡＮ通信処理の動作モード変更処理を示すフローチャートである。
【図１７】実施の形態のポップアップ画面を示す図である。
【図１８】ハンディターミナルの電波環境に対するＲＳＳＩ及びアンテナ本数を示す図である。
【図１９】変形例の第１のポップアップ画面の構成を示す図である。
【図２０】変形例の第２のポップアップ画面の構成を示す図である。
【図２１】変形例の第３のポップアップ画面の構成を示す図である。
【図２２】従来の無線通信端末の電波環境に対するＲＳＳＩ及びアンテナ本数を示す。
【発明を実施するための形態】
【００１５】
以下、添付図面を参照して本発明に係る好適な実施の形態を詳細に説明する。なお、本発明は、図示例に限定されるものではない。
【００１６】
図１〜図１８を参照して本発明に係る実施の形態を説明する。先ず、図１〜図３を参照して本実施の形態の無線通信端末としてのハンディターミナル１の装置構成を説明する。図１に、本実施の形態のハンディターミナル１の正面構成を示す。図２に、ハンディターミナル１の機能構成を示す。図３に、ＷＡＮ（Wide Area Network）通信部１６の機能構成を示す。
【００１７】
図１に示すハンディターミナル１は、ユーザ操作による情報の入力機能、情報の記憶機能、バーコードのスキャン機能、携帯電話通信方式の無線通信（ＷＡＮ通信）機能を有する携帯機器である。なお、ＷＡＮ通信機能と、他の機能とは、マルチタスクで実行可能であるものとする。
【００１８】
他にも、ハンディターミナル１は、撮影機能、赤外線通信機能、短距離無線通信機能、ＷＬＡＮ（Wireless Local Area Network）の無線通信機能、ＳＤ（Secure Digital）カード等のメディアアクセス機能、を有するものとする。しかし、これらの機能に限定されるものでなく、例えば、非接触ＩＣカードやＩＣタグの情報の読み書きするＲＦＩＤ（Radio Frequency IDentification）のリーダ／ライタ機能、ＧＰＳ（Global Positioning System）衛星からＧＰＳ情報を受信するＧＰＳ機能等、他の機能を有することとしてもよい。ハンディターミナル１は、上記機能を実現するためのデバイスを備えている。
【００１９】
図１に示すように、ハンディターミナル１は、ケース２の正面側に、表示部１４、各種キー１２Ａ、スピーカ１８、マイク１９等を備える。また、ハンディターミナル１は、ケース２の先端にレーザスキャナ部２６を備える。また、ハンディターミナル１は、ケース２の両側面に、トリガキー１２Ｂを備える。
【００２０】
各種キー１２Ａは、数字等の文字入力キー、各種機能キー、レーザスキャナ部２６の光照射及びバーコードスキャンのトリガ操作入力を受け付けるトリガキー等である。トリガキー１２Ｂは、各種キー１２Ａのトリガキーと同様に、レーザスキャナ部２６のトリガキーである。レーザスキャナ部２６は、レーザ光をバーコードに照射し、その反射光を受光及び二値化することにより、バーコードを読み取る部品である。レーザスキャナ部２６に代えて、シンボル（１次元バーコード、２次元コード）を撮像して読み取るイメージスキャナ部を有する構成としてもよい。
【００２１】
図２に示すように、ハンディターミナル１は、測定制御部、動作変更制御部としてのＣＰＵ（Central Processing Unit）１１と、操作部１２と、ＲＡＭ（Random Access Memory）１３と、表示部１４と、ＲＯＭ（Read Only Memory）１５と、無線通信部としてのＷＡＮ通信部１６と、ＣＯＤＥＣ（COder／DECoder）１７と、スピーカ１８と、マイク１９と、を備える。
【００２２】
また、ハンディターミナル１は、記憶部としてのＥＥＰＲＯＭ（Electrically Erasable and Programmable Read Only Memory）２０と、メディアアクセス部２１と、電源部２２と、を備える。また、ハンディターミナル１は、ＡＳＩＣ（Application Specific Integrated Circuit）２３と、赤外線通信部２４と、撮像部２５と、レーザスキャナ部２６と、短距離無線通信部２７と、ＷＬＡＮ通信部２８と、スイッチ２４Ａ，２５Ａ，２６Ａ，２７Ａ，２８Ａと、を備える。
【００２３】
また、ＣＰＵ１１、操作部１２、ＲＡＭ１３、表示部１４、ＲＯＭ１５、ＷＡＮ通信部１６、ＣＯＤＥＣ１７、ＥＥＰＲＯＭ２０、メディアアクセス部２１、ＡＳＩＣ２３、短距離無線通信部２７、ＷＬＡＮ通信部２８は、バス２９を介して接続されている。
【００２４】
ＣＰＵ１１は、ハンディターミナル１の各部を制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００２５】
ＣＰＵ１１は、ＲＯＭ１５に記憶されているデバイスノイズ測定プログラム１５１に従い、ＷＡＮ通信部１６によるＷＡＮ通信中に、赤外線通信部２４等のデバイスを動作させ、制御部１６２にＷＡＮ通信のＲＳＳＩを周波数毎に測定させ、当該ＲＳＳＩのノイズの周波数を前記デバイスの動作モードに対応してノイズ情報テーブル４０としてＥＥＰＲＯＭ２０に記憶する。
【００２６】
ＣＰＵ１１は、ＲＯＭ１５に記憶されているＷＡＮ通信プログラム１５２に従い、ＷＡＮ通信部１６によるＷＡＮ通信を行う場合に、デバイスの動作モードを取得し、ＥＥＰＲＯＭ２０からノイズ情報テーブル４０を読み出し、前記取得したデバイスの動作モードに応じたノイズ周波数帯を取得し、ＷＡＮ通信の通信周波数帯と前記ノイズ周波数帯とが重なるか否かを判別し、重なる場合に、操作部１２の操作に応じて、前記デバイスの動作モードを変更する。
【００２７】
操作部１２は、各種キー１２Ａ、トリガキー１２Ｂを含み、操作者から押下入力された各キーの操作信号をＣＰＵ１１に出力する。また、操作部１２は、表示部１４と一体的に設けられたタッチパネルのタッチパッドを含む構成としてもよい。
【００２８】
ＲＡＭ１３は、情報を一時的に格納する揮発性のメモリであり、実行される各種プログラムやこれら各種プログラムに係るデータ等を格納するワークエリアを有する。
【００２９】
表示部１４は、ＬＣＤ（Liquid Crystal Display）、そのドライバ回路で構成され、ＣＰＵ１１からの表示信号に従って各種表示を行う。また、表示部１４は、バックライトを有し、当該バックライトのオン／オフや、解像度の変更が可能であるものとする。表示部１４を、ＥＬＤ（ElectroLuminescent Display）等、他の表示部としてもよい。
【００３０】
ＲＯＭ１５は、各種プログラム、各種データが読み出し専用に記憶される半導体メモリである。ＲＯＭ１５には、デバイスノイズ測定プログラム１５１と、ＷＡＮ通信プログラム１５２と、が記憶されている。
【００３１】
ＷＡＮ通信部１６は、携帯電話通信方式で無線通信を行う。より具体的には、ＷＡＮ通信部１６は、携帯電話通信の基地局と無線通信を行う。つまり、ハンディターミナル１は、ＷＡＮ通信部１６による基地局との無線通信を介して、この基地局にネットワーク接続された通信先としての外部機器と情報の送受信を行う。
【００３２】
図３に示すように、ＷＡＮ通信部１６は、アンテナ１６ａと、ＷＡＮ通信モジュール１６０と、を備える。図３に示すように、ＷＡＮ通信部１６は、アンテナ１６ａと、ＷＡＮ通信モジュール１６０と、を備える。ＷＡＮ通信モジュール１６０は、Ｉ／Ｆ（インタフェース）部１６１と、制御部１６２と、送信部１６３と、受信部１６４と、スイッチ１６５と、を備える。
【００３３】
アンテナ１６ａは、携帯電話通信方式の無線通信用アンテナである。Ｉ／Ｆ（インタフェース）部１６１は、制御部１６２及びバス２９に接続され、制御部１６２とＣＰＵ１１との通信を中継する。制御部１６２は、Ｉ／Ｆ部１６１を介してＣＰＵ１１と通信し、送信部１６３、受信部１６４及びスイッチ１６５を制御し、ＣＯＤＥＣ１７と通信を行うとともに、各種信号処理を行う。
【００３４】
送信部１６３は、制御部１６２から入力された送信用の送信信号を変調して変調信号としてアンテナ１６ａに出力する。受信部１６４は、アンテナ１６ａから入力された受信信号を復調し、復調信号として制御部１６２に出力する。スイッチ１６５は、制御部１６２の制御により、アンテナ１６ａの接続先を送信部１６３又は受信部１６４に切り替える。
【００３５】
ＣＯＤＥＣ１７は、制御部１６２から入力される受信信号としての音声信号をデコードしてスピーカ１８に出力し、マイク１９から入力される音声信号をエンコードして制御部１６２に出力する。スピーカ１８は、ＣＯＤＥＣ１７から入力された電気信号としての音声信号に応じて音声出力する。マイク１９は、ユーザから入力された音声を電気信号としての音声信号に変換してＣＯＤＥＣ１７に出力する。
【００３６】
先ず、ハンディターミナル１と、情報（データ）の通信先の機器と、の通信時の動作を説明する。通信先への情報送信時に、制御部１６２は、ＣＰＵ１１からＩ／Ｆ部１６１を介して入力された送信用の情報に信号処理を施して送信部１６３に出力し、変調信号にしてアンテナ１６ａを介して基地局へ無線送信する。また、通信先からの情報受信時に、アンテナ１６ａを介して通信先からの受信信号が基地局から無線受信され受信部１６４により復調され、制御部１６２は、その復調信号に信号処理を施し、受信情報としてＩ／Ｆ部１６１を介してＣＰＵ１１に出力する。
【００３７】
次いで、ハンディターミナル１と、携帯電話の通信先の機器と、の通話時の動作を説明する。通話先への音声情報の送信時に、制御部１６２は、マイク１９で入力されＣＯＤＥＣ１７でエンコードされた音声信号に信号処理を施して送信部１６３に出力し、変調信号にしてアンテナ１６ａを介して基地局へ無線送信する。通話先からの音声情報の受信時に、アンテナ１６ａを介して通話先からの受信信号が基地局から無線受信され受信部１６４により復調され、制御部１６２は、その復調信号に信号処理を施し、受信した音声信号としてＣＯＤＥＣ１７に出力する。ＣＯＤＥＣ１７は、制御部１６２から入力された音声信号をデコードしてスピーカ１８に出力し、通話先の音声がスピーカ１８から出力される。
【００３８】
また、制御部１６２は、アンテナ１６ａ及び受信部１６４を介して入力される受信信号からＲＳＳＩを測定（算出）してＩ／Ｆ部１６１を介してＣＰＵ１１に出力する。
【００３９】
図２に戻り、ＥＥＰＲＯＭ２０は、情報を電気的に読み出し及び書き込み可能な半導体メモリである。ＥＥＰＲＯＭ２０には、後述する周波数帯情報テーブル３０及びノイズ情報テーブル４０が記憶される。
【００４０】
メディアアクセス部２１は、ＳＤカード等のメディアのスロットを有し、当該スロットに挿入されたメディアの情報を読み出し及び書き込みを行う。電源部２２は、２次電池等で構成され、ハンディターミナル１の各部に電源供給を行う。
【００４１】
ＡＳＩＣ２３は、赤外線通信部２４、撮像部２５、レーザスキャナ部２６と、スイッチ２４Ａ，２５Ａ，２６Ａ，２７Ａ，２８Ａのオン／オフを制御する制御回路である。赤外線通信部２４は、ＩｒＤＡ（Infrared Data Association）の赤外線通信部であり、赤外線通信機能を有する外部機器と直接赤外線通信を行う。
【００４２】
撮像部２５は、被写体を撮像して画像データを出力するデジタルカメラ部であり、光学系、撮像素子等を有する。
【００４３】
レーザスキャナ部２６は、レーザ光等の発光部、受光部、ゲイン回路、二値化回路等を備える。レーザスキャナ部２６において、発光部から出射された光がバーコードに照射され、その反射光が受光部により受光されて電気信号に変換され、その電気信号がゲイン回路により増幅され、二値化回路により白黒のバーコードイメージのデータに変換される。このように、レーザスキャナ部２６は、バーコードイメージを読み取り、そのバーコードイメージのデータを、ＡＳＩＣ２３を介してＣＰＵ１１に出力する。
【００４４】
短距離無線通信部２７は、アンテナ２７ａを備え、アンテナ２７ａを介して短距離無線通信機能を有する外部機器と直接、Bluetooth（登録商標）等の短距離無線通信を行う。ＷＬＡＮ通信部２８は、アンテナ２８ａを備え、アンテナ２８ａを介してアクセスポイントと無線通信を行う。つまり、ハンディターミナル１は、ＷＬＡＮ通信部２８により、アクセスポイントを介して、当該アクセスポイントに接続された外部機器と無線ＬＡＮ通信を行う。
【００４５】
スイッチ２４Ａは、赤外線通信部２４の電源のオン／オフを切り替えるスイッチである。スイッチ２５Ａは、撮像部２５の電源のオン／オフを切り替えるスイッチである。スイッチ２６Ａは、レーザスキャナ部２６の電源のオン／オフを切り替えるスイッチである。スイッチ２７Ａは、短距離無線通信部２７の電源のオン／オフを切り替えるスイッチである。スイッチ２８Ａは、ＷＬＡＮ通信部２８の電源のオン／オフを切り替えるスイッチである。
【００４６】
次いで、図４を参照して、ハンディターミナル１のＷＡＮ通信について説明する。図４に、ハンディターミナル１のＷＡＮ通信の規格、Ｕｐｌｉｎｋ、Ｄｏｗｎｌｉｎｋ、チャネル数を示す。
【００４７】
図４に示すように、ハンディターミナル１のＷＡＮ通信は、ＧＳＭ（Global System for Mobile communications）８００、ＧＳＭ９００、ＧＳＭ１８００（ＤＣＳ（Digital Cellular System）１８００）、ＧＳＭ１９００（ＰＣＳ（Personal Communications Service）１９００）の規格の通信を含む。上記各規格について、電波送信時の周波数であるＵｐＬｉｎｋの周波数［ＭＨｚ］と、電波受信時の周波数であるＤｏｗｎＬｉｎｋの周波数［ＭＨｚ］と、チャネル数とが規定されている。
【００４８】
また、ハンディターミナル１のＷＡＮ通信は、ＷＣＤＭＡ（Wideband Code Division Multiple Access）  ＢａｎｄI、  ＢａｎｄII、  ＢａｎｄV、  ＢａｎｄVIの規格の通信を含み、それぞれの規格に、ＵｐＬｉｎｋの周波数［ＭＨｚ］と、ＤｏｗｎＬｉｎｋの周波数［ＭＨｚ］と、チャネル数とが規定されている。ＷＡＮ通信部１６、ＣＯＤＥＣ１７は、上記各規格に対応している。
【００４９】
次に、図５及び図６を参照して、ハンディターミナル１のＥＥＰＲＯＭ２０に記憶される情報を説明する。図５に、周波数帯情報テーブル３０の構成を示す。図６に、ノイズ情報テーブル４０の構成を示す。
【００５０】
ハンディターミナル１のＥＥＰＲＯＭ２０には、周波数帯情報テーブル３０及びノイズ情報テーブル４０が記憶される。周波数帯情報テーブル３０は、ＷＡＮ通信の各規格の周波数帯の範囲の情報を有するテーブルである。図５に示すように、周波数帯情報テーブル３０は、規格３１と、Ｕｐｌｉｎｋ３２と、チャネル３３と、Ｄｏｗｎｌｉｎｋ３４と、チャネル３５と、のフィールドを有する。
【００５１】
規格３１は、ＷＡＮ通信の規格名である。Ｕｐｌｉｎｋ３２は、規格３１の通信の周波数帯の電波送信時の最小及び最大の周波数［ＭＨｚ］を示す。チャネル３３は、Ｕｐｌｉｎｋ３２の最小及び最大の周波数のチャネル番号を示す。但し、チャネル３３は、規格３１がＧＳＭ８５０、ＧＳＭ９００、ＧＳＭ１８００、ＧＳＭ１９００である場合に、Ｕｐｌｉｎｋ３２とＤｏｗｎｌｉｎｋ３４とで共通の最小及び最大の周波数のチャネル番号を示すものとする。特に、規格３１がＧＳＭ９００である場合に、チャネル３３は、チャネル番号が１０２４の次に１に戻ることも示している。なお、Ｕｐｌｉｎｋ３２及びＤｏｗｎｌｉｎｋ３４の各周波数は、各チャネルの周波数帯の中心周波数を示すものとする。この各チャネルの周波数帯の幅を、５［ＭＨｚ］とする。
【００５２】
Ｄｏｗｎｌｉｎｋ３４は、規格３１の通信の周波数帯の電波受信時の最小及び最大の周波数［ＭＨｚ］を示す。チャネル３５は、Ｄｏｗｎｌｉｎｋ３４の最小及び最大の周波数のチャネル番号を示す。また、チャネル３３，３５の１チャネルは、２００［ｋＨｚ］ステップである。
【００５３】
ノイズ情報テーブル４０は、ハンディターミナル１のＷＡＮ通信中の各デバイス動作時に測定されるノイズの情報を有するテーブルである。図６に示すように、ノイズ情報テーブル４０は、第１の動作モード４１と、第２の動作モード４２と、第３の動作モード４３と、閾値４４と、スタート周波数４５と、ストップ周波数４６と、のフィールドを有する。
【００５４】
第１の動作モード４１は、ハンディターミナル１の１つのデバイスの動作状態である。第２の動作モード４２、第３の動作モード４３も、それぞれ、第１の動作モード４１と同様である。つまり、第１の動作モード４１、第２の動作モード４２、第３の動作モード４３により、ノイズ測定時のハンディターミナル１の動作状態として、１つのデバイスの動作状態、又は２つ若しくは３つのデバイスの動作状態の組み合わせをとることが可能である。しかし、これに限定されるものではなく、ノイズ測定時のハンディターミナル１の動作状態として、デバイス単体のみの動作状態としたり、４つ以上のデバイスの動作状態を組み合わせることとしてもよい。
【００５５】
閾値４４は、第１の動作モード４１、第２の動作モード４２及び第３の動作モード４３の動作状態におけるＲＳＳＩが、ノイズか否かを判断するためのＲＳＳＩ［ｄＢｍ］の閾値である。スタート周波数４５は、第１の動作モード４１、第２の動作モード４２及び第３の動作モード４３の動作状態におけるノイズ範囲の最初（最小）の周波数［ＭＨｚ］である。ストップ周波数４６は、第１の動作モード４１、第２の動作モード４２及び第３の動作モード４３の動作状態におけるノイズ範囲の最後（最大）の周波数［ＭＨｚ］である。
【００５６】
次に、図７〜図１８を参照して、ハンディターミナル１の動作を説明する。先ず、図７〜図１２を参照して、ハンディターミナル１で実行するデバイスノイズ測定処理を説明する。図７に、デバイスノイズ測定処理を示す。図８に、ＷＡＮ通信中で表示部１４がＱＶＧＡ表示中の状態における周波数に対するＲＳＳＩを示す。図９に、ＷＡＮ通信中で表示部１４がＶＧＡ表示中でバックライトを点灯した状態における周波数に対するＲＳＳＩを示す。図１０に、ＷＡＮ通信中で表示部１４がＶＧＡ表示中でバックライトを消灯した状態における周波数に対するＲＳＳＩを示す。図１１に、ＷＡＮ通信中で撮像部２５が動作中の状態における周波数に対するＲＳＳＩを示す。図１２に、周波数に対する高調波のノイズ成分を示す。
【００５７】
図７に示すデバイスノイズ測定処理は、ＷＡＮ通信中の１つのデバイスの動作状態、又は１つのデバイスの動作状態の組み合わせ中のノイズを測定してノイズ情報テーブル４０として記憶する処理である。デバイスノイズ測定処理は、ハンディターミナル１の製造における工場出荷前の工場出荷検査時や、ハンディターミナル１の修理時等に実行される処理である。
【００５８】
ハンディターミナル１において、例えば、操作部１２を介してデバイスノイズ測定処理の実行指示が入力されたことをトリガとして、ＲＯＭ１５から読み出されて適宜ＲＡＭ１３に展開されたデバイスノイズ測定プログラム１５１と、ＣＰＵ１１との協働で、デバイスノイズ測定処理が実行される。
【００５９】
図７に示すように、先ず、ＣＰＵ１１は、初期設定として、予め定められた１つのデバイス及びその所定の動作モード（動作状態）を選択設定する（ステップＳ１１）。ステップＳ１１の１つのデバイスとは、ハンディターミナル１内のＷＡＮ通信中のノイズ測定対象の１つのデバイスである。ノイズ測定対象のデバイスとは、具体的には、表示部１４、メディアアクセス部２１、赤外線通信部２４、撮像部２５、レーザスキャナ部２６、短距離無線通信部２７、ＷＬＡＮ通信部２８のデバイス群のうちのデバイスである。ステップＳ１１の動作モードとは、上記デバイス群のデバイスの電源のオン／オフ等の動作状態である。また、表示部１４についての動作モードは、解像度（ＱＶＧＡ、ＶＧＡ等）を指定した動作状態や、バックライトのオン／オフの動作状態を含む。また、ＷＬＡＮ通信部２８についての動作モードは、通信速度を指定した動作状態を含む。
【００６０】
そして、ＣＰＵ１１は、ステップＳ１１、Ｓ１８又はＳ２０で選択されたデバイスを、選択された動作モードに変更する（ステップＳ１２）。ステップＳ１２において、赤外線通信部２４、撮像部２５、レーザスキャナ部２６、短距離無線通信部２７、ＷＬＡＮ通信部２８の電源オン／オフを変更する場合に、ＣＰＵ１１は、ＡＳＩＣ２３によるスイッチ２４Ａ，２５Ａ，２６Ａ，２７Ａ，２８Ａのオン／オフ切り替えにより行う。また、表示部１４、メディアアクセス部２１の動作モード変更や、ＷＬＡＮ通信部２８の通信速度変更の動作モード変更をする場合には、ＣＰＵ１１が、直接各デバイスの動作モードを変更設定する。
【００６１】
そして、ＣＰＵ１１は、ステップＳ１２で選択されたデバイス及びその動作モードにおける検査を行う（ステップＳ１３）。そして、ＣＰＵ１１は、ＷＡＮ通信部１６、ＣＯＤＥＣ１７、スピーカ１８、マイク１９を起動して、ＷＡＮ通信を開始する（ステップＳ１４）。
【００６２】
そして、ＣＰＵ１１は、ステップＳ１２で設定されたデバイス及びその動作モードにおけるステップＳ１３でのＷＡＮ通信において、ＷＡＮ通信部１６により周波数をスイープしてノイズを測定する（ステップＳ１５）。具体的には、先ず、ＣＰＵ１１は、設定されたデバイス及びその動作モードにおいて、制御部１６２に、ＷＡＮ通信の周波数を、最小の周波数から最大の周波数まで１回スイープさせるとともに、制御部１６２で測定されたＲＳＳＩを取得していく。
【００６３】
例えば、図８に示すように、ＣＰＵ１１は、デバイスが表示部１４に設定され、その動作モードがＱＶＧＡ表示中に設定された状態で、周波数を１８０５．２０［ＭＨｚ］から１８７９．８０［ＭＨｚ］まで１回スイープしてＲＳＳＩを測定していく。ＣＰＵ１１は、制御部１６２に１つの周波数で所定時間（例えば数秒）中に複数回ＲＳＳＩを測定させ、その周波数での全測定値の平均値を算出する。ＣＰＵ１１は、周波数に対するＲＳＳＩの平均値が、予め設定された閾値以上となるノイズ部分の周波数帯を判断して抽出する。ここでは、ＲＳＳＩの閾値を動作モードによらず一律−１０８［ｄＢｍ］とするが、これに限定されるものではない。図８では、ノイズ部分が無く、その周波数帯が抽出されない。
【００６４】
図９に示すように、デバイスが表示部１４に設定され、その動作モードがＱＶＧＡ表示中及びバックライト点灯中に設定された状態では、ＲＳＳＩが−１０８［ｄＢｍ］以上となるノイズ部分が丸で囲った４箇所現れている。図１０に示すように、デバイスが表示部１４に設定され、その動作モードがＱＶＧＡ表示中及びバックライト消灯中に設定された状態では、ＲＳＳＩが−１０８［ｄＢｍ］以上となるノイズ部分が丸で囲った３箇所現れている。図１１に示すように、デバイスが撮像部２５に設定され、その動作モードが電源オン中に設定された状態では、ＲＳＳＩが−１０８［ｄＢｍ］以上となるノイズ部分が丸で囲った３箇所現れている。ノイズ部分があるとき、ＣＰＵ１１は、ノイズ部分の周波数帯の最初と最後の周波数（ＲＳＳＩが−１０８［ｄＢｍ］となる周波数）を取得する。
【００６５】
なお、図１２に示すように、各デバイスのノイズは、原発振周波数以外にも、n倍の高調波でノイズ成分として現れてくる。高い周波数になればなるほど、高調波は小さくなく、ノイズとして現れてこない。このため、高い周波数でＷＡＮ通信しているときは、各デバイスのノイズの影響は少なくなる。
【００６６】
そして、ＣＰＵ１１は、ステップＳ１２で設定したデバイス及びその動作モードと、ステップＳ１５で取得したノイズ部分の周波数帯の最初と最後の周波数を用いて、ノイズ情報テーブル４０を作成してＥＥＰＲＯＭ２０に記憶する（ステップＳ１６）。より具体的には、ＣＰＵ１１は、ステップＳ１２で設定した１つ〜３つのデバイス及びその動作モードを第１の動作モード４１、第２の動作モード４２、第３の動作モード４３に設定し、ノイズ部分の判断に用いた閾値を閾値４４に設定し、ステップＳ１５で取得したノイズ部分の周波数帯の最初と最後の周波数をスタート周波数４５、ストップ周波数４６に設定してノイズ情報テーブル４０を作成する。
【００６７】
そして、ＣＰＵ１１は、ノイズ測定対象の未選択の１つのデバイス及びその動作モードがあるか否かを判別する（ステップＳ１７）。未選択の１つのデバイス及びその動作モードがある場合（ステップＳ１７；ＹＥＳ）、ＣＰＵ１１は、未選択の１つのデバイス及びその動作モードを選択し（ステップＳ１８）、ステップＳ１２に移行される。
【００６８】
未選択の１つのデバイス及びその動作モードがない場合（ステップＳ１７；ＮＯ）、ＣＰＵ１１は、ノイズ測定対象の未選択の複数（ここでは、２つ又は３つ）のデバイス及びその動作モードがあるか否かを判別する（ステップＳ１９）。未選択の複数のデバイス及びその動作モードがある場合（ステップＳ１９；ＹＥＳ）、ＣＰＵ１１は、未選択の複数のデバイス及びその動作モードを選択し（ステップＳ２０）、ステップＳ１２に移行される。未選択の複数のデバイス及びその動作モードがない場合（ステップＳ１９；ＮＯ）、デバイスノイズ測定処理を終了する。
【００６９】
次いで、図１３〜図１８を参照して、ハンディターミナル１で実行するＷＡＮ通信処理を説明する。図１３に、ＷＡＮ通信の発信から通話開始までの処理手順を示す。図１４に、ＷＡＮ通信処理を示す。図１５（ａ）に、ＷＣＤＭＡ  ＢａｎｄVIの通信周波数を示す。図１５（ｂ）に、撮像部２５動作時の周波数に対するノイズを示す。図１５（ｃ）に、表示部１４のＶＧＡ表示中の周波数に対するノイズを示す。図１５（ｄ）に、ＷＣＤＭＡ  ＢａｎｄVIの通信周波数に重なるノイズを示す。図１６に、ＷＡＮ通信処理の動作モード変更処理を示す。図１７に、ポップアップ画面５０を示す。図１８に、ハンディターミナル１の電波環境に対するＲＳＳＩ及びアンテナ本数を示す。
【００７０】
先ず、図１３を参照して、ハンディターミナル１によるＷＡＮ通信の発信から通話開始までの処理手順を説明する。ハンディターミナル１から通話先の機器に通話を行う場合に、先ず、ハンディターミナル１のＣＰＵ１１は、ＷＡＮ通信部１６により、所定の通信方式（例えば、ＧＳＭ８００）で基地局に発信をしてチャネル設定要求を無線送信する（ステップＳ１０１）。チャネル設定要求には、通話先を特定する情報を含むものとする。そして、基地局は、チャネル設定要求をハンディターミナル１から受信し、このチャネル設定要求に応じて、所定の通信方式の全チャネルの中から使用可能なチャネルを選択してチャネル設定を行い、チャネル設定情報をハンディターミナル１に無線送信する（ステップＳ１０２）。
【００７１】
そして、ハンディターミナル１のＣＰＵ１１は、ＷＡＮ通信部１６により、チャネル設定情報を基地局から受信し、ＷＡＮ通信のチャネルをチャネル設定情報に応じたチャネルに切り替える（ステップＳ１０３）。そして、基地局は、チャネル設定情報の通信先を特定する情報を用いて、通話先の機器に、呼設定要求及び呼び出しを送信する（ステップＳ１０４）。呼設定要求には、通話元のハンディターミナル１を特定する情報を含むものとする。
【００７２】
そして、通話先の機器は、呼設定要求及び呼び出しを基地局から受信して、呼設定要求に応じて、通話元のハンディターミナル１への応答の情報を基地局に送信する（ステップＳ１０５）。そして、基地局は、ハンディターミナル１への応答の情報を通話先の機器から受信して、ハンディターミナル１へ送信して中継する（ステップＳ１０６）。そして、ハンディターミナル１は、ハンディターミナル１への応答の情報を基地局から受信して、ステップＳ１０３で設定されたチャネルで、通話先の機器との通話を開始する（ステップＳ１０７）。
【００７３】
図１４に示すハンディターミナル１で実行するＷＡＮ通信処理は、ハンディターミナル１の製品出荷後（デバイスノイズ測定処理後）に、実際に、ＷＡＮ通信を行う処理である。ハンディターミナル１において、例えば、操作部１２を介してＷＡＮ通信処理の実行指示が入力されたことをトリガとして、ＲＯＭ１５から読み出されて適宜ＲＡＭ１３に展開されたＷＡＮ通信プログラム１５２と、ＣＰＵ１１との協働で、ＷＡＮ通信処理が実行される。
【００７４】
図１４に示すように、先ず、ＣＰＵ１１は、ＷＡＮ通信部１６を介して、通信先を特定する情報を含むチャネル設定要求を基地局に無線送信して通信接続する（ステップＳ３１）。ステップＳ３１は、図１２のステップＳ１０１に対応する。そして、ＣＰＵ１１は、ＷＡＮ通信部１６を介して、チャネル設定情報を基地局から受信してＷＡＮ通信のチャネルを、チャネル設定情報のチャネルに決定及び設定し、ＷＡＮ通信を開始する（ステップＳ３２）。ステップＳ３２は、図１２のステップＳ１０３，Ｓ１０７に対応する。
【００７５】
そして、ＣＰＵ１１は、ＷＡＮ通信部１６の制御部１６２により測定されたＲＳＳＩを取得し、ＷＡＮ通信のＲＳＳＩが所定値以下であるか（弱電界であるか）否かを判別する（ステップＳ３３）。この所定値は、例えば、アンテナ本数が０本に対応するＲＳＳＩとする。
【００７６】
弱電界でない場合（ステップＳ３３；ＮＯ）、ステップＳ３３に移行される。このとき、ＷＡＮ通信は、継続され、例えば、操作部１２を介するＷＡＮ通信処理終了指示の操作入力があるとＷＡＮ通信が終了される。弱電界である場合（ステップＳ３３；ＹＥＳ）、ＣＰＵ１１は、ハンディターミナル１のＷＡＮ通信部１６以外のデバイスの動作モードを確認し、動作中のデバイス及びその動作モードの情報を取得する（ステップＳ３４）。
【００７７】
そして、ＣＰＵ１１は、周波数帯情報テーブル３０をＥＥＰＲＯＭ２０から読み出し、周波数帯情報テーブル３０を用いて、ステップＳ３２で設定された現在のチャネル番号の周波数帯を通信周波数帯として取得する（ステップＳ３５）。具体的には、ＣＰＵ１１は、ＷＡＮ通信中の無線通信方式を規格３１で特定し、特定した規格３１のレコードのチャネル３３及びチャネル３５を用いて、ステップＳ３２で設定された現在のチャネル番号に対応する周波数帯の最初及び最後の周波数を、Ｕｐｌｉｎｋ３２及びＤｏｗｎｌｉｎｋ３４から、２００［ｋＨｚ］のステップを用いて算出し、通信周波数帯として取得する。
【００７８】
そして、ＣＰＵ１１は、ノイズ情報テーブル４０をＥＥＰＲＯＭ２０から読み出す（ステップＳ３６）。そして、ＣＰＵ１１は、ノイズ情報テーブル４０において、ステップＳ３４で取得したデバイス及び動作モードの第１の動作モード４１、第２の動作モード４２、第３の動作モード４３に対応するスタート周波数４５及びストップ周波数４６をノイズ周波数帯とし、ステップＳ３５で取得した通信周波数帯と、ノイズ周波数帯と、を比較する（ステップＳ３７）。
【００７９】
そして、ＣＰＵ１１は、ステップＳ３７で比較した通信周波数帯と、ノイズ周波数帯と、が重なるか否かを判別する（ステップＳ３８）。通信周波数帯とノイズ周波数帯とが重ならない場合（ステップＳ３８；ＮＯ）、ステップＳ３３に移行される。通信周波数帯とノイズ周波数帯とが重なる場合（ステップＳ３８；ＹＥＳ）、ＣＰＵ１１は、動作モード変更処理を実行し（ステップＳ３９）、ＷＡＮ通信処理を終了する。
【００８０】
ここで、図１５を参照して、図１４のＷＡＮ通信処理のステップＳ３５〜Ｓ３８の具体例を説明する。図１５（ａ）に示すように、ステップＳ３５において、規格３１がＷＣＤＭＡのＢａｎｄVIで、Ｕｐｌｉｎｋのチャネル番号が４１７５、Ｄｏｗｎｌｉｎｋのチャネル番号が４４００の通信周波数が取得されたものとする。各通信周波数帯の中心周波数は、８３５［ＭＨｚ］及び８８０［ＭＨｚ］であり、当該各周波数帯の幅が５［ＭＨｚ］である。
【００８１】
また、ステップＳ３４において、デバイスとして撮像部２５が選択され、その動作モードが電源オンとされ、且つデバイスとして表示部１４が選択され、その動作モードがＶＧＡ表示中であるものとする。撮像部２５が電源オンの状態で、図１５（ｂ）に示すノイズが表れたものとする。また、表示部１４がＶＧＡ表示中の状態で、図１５（ｃ）に示すノイズが表れたものとする。図１５（ｂ）、図１５（ｃ）を重ね合わせたノイズ周波数帯の最初及び最後の周波数が、ノイズ情報テーブル４０に撮像部２５の電源オン及び表示部１４のＶＧＡ表示のスタート周波数４５及びストップ周波数４６として格納されているものとする。
【００８２】
すると、図１５（ｄ）に示すように、ステップＳ３７において、図１５（ａ）の通信周波数帯と、図１５（ｂ）及び図１５（ｃ）のノイズ周波数帯と、が比較される。図１５（ａ）の通信周波数帯と、図１５（ｂ）の撮像部２５の電源オンのノイズ周波数帯とは、重なっていない。しかし、図１５（ａ）の通信周波数帯と、図１５（ｃ）の表示部１４のＶＧＡ表示中のノイズ周波数帯とは、重なっている。このため、ＷＡＮ通信継続のため、表示部１４の動作モード（解像度）変更が好ましい。
【００８３】
ここで、図１６〜図１８を参照して、図１４のＷＡＮ通信処理のステップＳ３９の動作モード変更処理を説明する。図１６に示すように、先ず、ＣＰＵ１１は、ポップアップ画面５０を作成して表示部１４に表示する（ステップＳ３９１）。このポップアップ画面５０は、図１７に示すように、ポップアップメッセージ５１と、デバイス表示領域５２と、選択入力領域５３と、を有するものとする。ポップアップメッセージ５１は、ＷＡＮ通信にノイズの影響を与えている動作中のデバイスがある旨のメッセージである。デバイス表示領域５２は、ノイズの影響を与えている動作中のデバイスの名称を示す表示部である。選択入力領域５３は、ノイズの影響を与えている動作中のデバイスの動作モードを変更（例えば、電源オフ）するか否かを選択入力するための表示領域である。例えば、ユーザによる操作部１２の選択操作により、選択入力領域５３の「はい」及び「いいえ」のいずれか一つがハイライト表示されて選択入力される。
【００８４】
そして、ＣＰＵ１１は、ステップＳ３９１で表示されたポップアップ画面５０に応じて、操作部１２により、ユーザから動作中のデバイスの動作モードを変更するか否かの選択入力がなされたか否かを判別する（ステップＳ３９２）。デバイスの動作モードを変更する操作入力がなされた場合（ステップＳ３９２；ＹＥＳ）、デバイスの動作モードを変更する操作内容に応じて、動作中のデバイスの動作モードを変更し（ステップＳ３９３）、動作モード変更処理を終了する。デバイスの動作モードを変更する操作入力がなされない場合（ステップＳ３９２；ＮＯ）、動作モード変更処理が終了する。
【００８５】
図１８に示すように、電波環境が良い地域から悪い地域へハンディターミナル１を持っていくと、ＲＳＳＩが低下するとともに、アンテナ表示のアンテナ本数も減っていく。そして、アンテナ本数が０本になると、図１４のＷＡＮ通信処理のステップＳ３３で弱電界（ＹＥＳ）となり、図１６の動作モード変更処理にステップＳ３９２でＹＥＳとなる操作入力をすることにより、ステップＳ３９３でデバイスの動作モードが変更され、その後、図２２の従来例に比べて、電波環境がさらに悪い地域へハンディターミナル１を持っていっても無線通信の切断を防ぐことができる。
【００８６】
以上、本実施の形態によれば、ハンディターミナル１において、ＣＰＵ１１は、ＷＡＮ通信部１６によるＷＡＮ通信中に、赤外線通信部２４等のデバイスを動作させ、制御部１６２にＷＡＮ通信のＲＳＳＩを周波数毎に測定させ、当該ＲＳＳＩのノイズの周波数を前記デバイスの動作モードに対応してノイズ情報テーブル４０としてＥＥＰＲＯＭ２０に記憶する。そして、ＣＰＵ１１は、ＷＡＮ通信部１６によるＷＡＮ通信を行う場合に、現在のデバイスの動作モードを取得し、ＥＥＰＲＯＭ２０からノイズ情報テーブル４０を読み出し、前記取得したデバイスの動作モードに応じたノイズ周波数帯を取得し、ＷＡＮ通信の通信周波数帯と前記ノイズ周波数帯とが重なるか否かを判別し、重なる場合に、前記デバイスの動作モードを変更する。
【００８７】
このため、ハンディターミナル１毎にノイズを測定してノイズ情報テーブル４０として記憶することができ、ハンディターミナル１毎に、デバイスの動作に応じたノイズによるＲＳＳＩの低下を防ぐことができる。加えて、受信電界レベルぎりぎりの場所でも、ＲＳＳＩをアップでき、無線通信の切断を防ぐことができる。特に、製造番号が異なる複数のハンディターミナル１において、同じデバイスの動作状態に応じたノイズ周波数帯も異なる各ハンディターミナル１についても、デバイスの動作に応じたノイズによるＲＳＳＩの低下を防ぐことができる。
【００８８】
また、ＣＰＵ１１は、ＷＡＮ通信部１６によるＷＡＮ通信のＲＳＳＩを測定し、当該測定したＲＳＳＩが所定値以下の弱電界である場合に、前記デバイスの動作モードを取得し、ＥＥＰＲＯＭ２０からノイズ情報テーブル４０を読み出し、前記取得したデバイスの動作モードに応じたノイズ周波数帯を取得し、ＷＡＮ通信の通信周波数帯と前記ノイズ周波数帯とが重なるか否かを判別する。このため、受信電界レベルぎりぎりの弱電界の場所に、ＲＳＳＩをアップでき、無線通信の切断を防ぐことができる。
【００８９】
また、ＣＰＵ１１は、ＷＡＮ通信の通信周波数帯と前記デバイスの動作状態に応じたノイズ周波数帯とが重なる場合に、操作部１２により当該デバイスの動作状態を変更するか否かの操作入力を受け付け、当該デバイスの動作状態を変更する操作入力があると、当該デバイスの動作状態を変更する。このため、ユーザがＷＡＮ通信を優先するか、デバイスの動作を優先するかを選択することができる。
【００９０】
なお、上記実施の形態における記述は、本発明に係る無線通信端末及びプログラムの一例であり、これに限定されるものではない。
【００９１】
例えば、上記実施の形態では、図１４のＷＡＮ通信処理におけるステップＳ３９の動作モード変更処理で、ＣＰＵ１１が、図１７に示すポップアップ画面５０を表示部１４に表示し、デバイスの動作モードを変更するか否かを操作部１２によりユーザからの選択入力を受け付け、その選択入力に応じて動作モードを変更する構成であったが、これに限定されるものではない。図１９に、ポップアップ画面６０の構成を示す。図２０に、ポップアップ画面７０の構成を示す。図２１に、ポップアップ画面８０の構成を示す。
【００９２】
ＷＡＮ通信処理のステップＳ３９の動作モード変更処理において、ＣＰＵ１１が、図１９に示すポップアップ画面６０を表示し、ＷＡＮ通信にノイズの影響を与えるデバイスの動作モードを自動的に変更する構成としてもよい。ポップアップ画面６０は、ポップアップメッセージ６１と、デバイス表示領域６２と、を有するものとする。ポップアップメッセージ６１は、ＷＡＮ通信にノイズの影響を与えている動作中のデバイスがあり、そのデバイスの動作モードを変更（例えば、電源オフ）する旨のメッセージである。デバイス表示領域６２は、ノイズの影響を与えている動作中のデバイスの名称を示す表示領域である。
【００９３】
また、ＷＡＮ通信処理のステップＳ３９の動作モード変更処理において、ＣＰＵ１１が、図２０に示すポップアップ画面７０を表示し、ＷＡＮ通信にノイズの影響を与えるデバイスがある旨を表示し、ユーザの操作入力に従う構成としてもよい。ポップアップ画面７０は、ポップアップメッセージ７１を有するものとする。ポップアップメッセージ７１は、ＷＡＮ通信にノイズの影響を与えている動作中のデバイスがある旨のメッセージである。ポップアップ画面７０の表示後に、ノイズの影響を与えるデバイスの動作モードを変更する場合に、ユーザが操作部１２の操作入力に応じて、このデバイスの動作モードを変更する。
【００９４】
また、ＷＡＮ通信処理のステップＳ３９の動作モード変更処理において、ＣＰＵ１１は、図２１に示すポップアップ画面８０を表示し、ＷＡＮ通信にノイズの影響を与えるデバイスについて、ノイズの影響を与えない動作モードを選択して表示し、ユーザの操作入力に従う構成としてもよい。ポップアップ画面８０は、ポップアップメッセージ８１と、動作モード表示領域８２と、を有するものとする。ポップアップメッセージ８１は、ＷＡＮ通信にノイズの影響を与えている動作中のデバイスがあり、そのデバイスのノイズの影響を与えてない動作モードがある旨のメッセージである。動作モード表示領域８２は、ノイズの影響を与えている動作中のデバイスにおけるノイズの影響を与えない動作モードを示す表示領域である。
【００９５】
上記ノイズの影響を与えない動作モードの選択時に、例えば、ＣＰＵ１１は、ノイズ情報テーブル４０を参照し、現在の通信周波数帯と、ノイズ周波数帯（スタート周波数４５及びストップ周波数４６の間の周波数帯）とが重ならない第１の動作モード４１、第２の動作モード４２、第３の動作モード４３を、ノイズの影響を与えない動作モードとして選択する。ポップアップ画面８０の表示後に、ノイズの影響を与えるデバイスの動作モードを変更する場合に、ユーザが操作部１２の操作入力に応じて、このデバイスの動作モードを変更する。
【００９６】
このため、デバイスの動作モードを変更する場合に、ノイズ周波数帯が通信周波数帯に確実に重ならない動作モードに変更でき、ハンディターミナル１毎に、デバイスの動作に応じたノイズによるＲＳＳＩの低下をより確実に防ぐことができる。
【００９７】
また、上記実施の形態では、無線通信端末としてハンディターミナル１を説明したが、これに限定されるものではない。上記無線通信端末としては、無線通信機能と、この無線通信以外のデバイスにより動作を行う機能とをマルチタスクで行う端末であればよく、携帯電話機、ＰＨＳ（Personal Handyphone System）端末、スマートフォン、ＰＤＡ（Personal Digital Assistant）等、他の無線通信端末でもよい。
【００９８】
また、上記実施の形態では、デバイスのノイズの影響を低減する対象の無線通信方式としてＧＳＭ及びＷＣＤＭＡ ＢａｎｄI，II，V，VIのＷＡＮ通信を説明したが、これに限定されるものではない。上記無線通信方式としてＷＣＤＭＡ ＢａｎｄVIII、ＰＤＣ（Personal Digital Cellular）、携帯電話通信以外の無線通信方式等、他の無線通信方式としてもよい。
【００９９】
また、上記実施の形態では、図１４のＷＡＮ通信処理のステップＳ３３において、弱電界になった場合に、通信周波数帯及びノイズ周波数帯の比較と、この比較結果に応じた動作モードの変更と、を行う構成であったが、これに限定されるものではない。例えば、図１４のＷＡＮ通信処理において、ステップＳ３３を削除し、弱電界になったか否かにかかわらず、通信周波数帯及びノイズ周波数帯の比較と、この比較結果に応じた動作モードの変更と、を行う構成としてもよい。
【０１００】
また、以上の説明では、本発明に係るプログラムのコンピュータ読み取り可能な媒体としてＲＯＭ１５を使用した例を開示したが、この例に限定されない。
その他のコンピュータ読み取り可能な媒体として、フラッシュメモリ等の不揮発性メモリ、ＣＤ−ＲＯＭ等の可搬型記録媒体を適用することが可能である。
また、本発明に係るプログラムのデータを通信回線を介して提供する媒体として、キャリアウエーブ（搬送波）も本発明に適用される。
【０１０１】
また、上記実施の形態におけるハンディターミナル１の各構成要素の細部構成及び細部動作に関しては、本発明の趣旨を逸脱することのない範囲で適宜変更可能であることは勿論である。
【符号の説明】
【０１０２】
１  ハンディターミナル
２  ケース
１１  ＣＰＵ
１２  操作部
１２Ａ  各種キー
１２Ｂ  トリガキー
１３  ＲＡＭ
１４  表示部
１５  ＲＯＭ
１６  ＷＡＮ通信部
１６ａ  アンテナ
１６０  ＷＡＮ通信モジュール
１６１  Ｉ／Ｆ部
１６２  制御部
１６３  送信部
１６４  受信部
１６５  スイッチ
１７  ＣＯＤＥＣ
１８  スピーカ
２０  ＥＥＰＲＯＭ
２１  メディアアクセス部
２２  電源部
２３  ＡＳＩＣ
２４  赤外線通信部
２４Ａ，２５Ａ，２６Ａ，２７Ａ，２８Ａ  スイッチ
２５  撮像部
２６  レーザスキャナ部
２７  短距離無線通信部
２７ａ  アンテナ
２８  ＷＬＡＮ通信部
２８ａ  アンテナ
２９  バス
【図１】
2012074789.tif 000003
【図２】
2012074789.tif 000004
【図３】
2012074789.tif 000005
【図４】
2012074789.tif 000006
【図５】
2012074789.tif 000007
【図６】
2012074789.tif 000008
【図７】
2012074789.tif 000009
【図８】
2012074789.tif 000010
【図９】
2012074789.tif 000011
【図１０】
2012074789.tif 000012
【図１１】
2012074789.tif 000013
【図１２】
2012074789.tif 000014
【図１３】
2012074789.tif 000015
【図１４】
2012074789.tif 000016
【図１５】
2012074789.tif 000017
【図１６】
2012074789.tif 000018
【図１７】
2012074789.tif 000019
【図１８】
2012074789.tif 000020
【図１９】
2012074789.tif 000021
【図２０】
2012074789.tif 000022
【図２１】
2012074789.tif 000023
【図２２】
2012074789.tif 000024